(57)【特許請求の範囲】
【請求項１】
相対的に大小の径の管である大径管および小径管に対し、大径管を保持する大径管保持部を有してその大径管を収容する大径管保護カバーと、小径管を保持する小径管保持部を有してその小径管を収容する小径管保護カバーとを備え、かつ、
前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーを備え、
被固定面に固定される、前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にあり、
前記異径管継ぎ手収容カバーは、前記異径管継ぎ手が収容される異径管継ぎ手収容スペースを有しており、
その異径管継ぎ手収容カバー内において、前記異径管継ぎ手収容スペースと、前記第２の接続口に接続される前記小径管保護カバーとの間は、前記小径管が前記小径管保護カバー内へと導かれて前記小径管保持部に保持されるよう、前記小径管が前記被固定面側にたわむようにして前記小径管保持部の前記中心軸の位置まで下降するための距離を備えた下降スペースとなっている、異径管接続部収容カバー装置。
【請求項２】
相対的に大小の径の管である大径管および小径管に対し、大径管を保持する大径管保持部を有してその大径管を収容する大径管保護カバーと、小径管を保持する小径管保持部を有してその小径管を収容する小径管保護カバーとを備え、かつ、
前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーを備え、
被固定面に固定される、前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にあり、
前記異径管継ぎ手収容カバーは、前記異径管継ぎ手が収容される異径管継ぎ手収容スペースを有しており、
その異径管継ぎ手収容カバー内において、前記異径管継ぎ手収容スペースと、前記第２の接続口に接続される前記小径管保護カバーとの間は、前記小径管が前記小径管保護カバー内へと導かれて前記小径管保持部に保持されるよう、前記小径管が前記被固定面側にたわむようにして下降するための距離を備えた下降スペースとなっており、また、
前記異径管継ぎ手収容カバーは、基台と、その基台との間に前記異径管継ぎ手収容スペースと前記下降スペースとが形成される蓋体とを備え、かつ、
前記異径管継ぎ手収容カバーは、直線状に前記大径管と前記小径管とを繋ぐ、前記異径管継ぎ手としての２方継ぎ手を収容するものであり、
前記基台には、前記下降スペースを確保すべく、前記異径管継ぎ手を、前記第１の接続口に接続される前記大径管保護カバーよりも、前記第２の接続口に接続される前記小径管保護カバーから離れるように配置する位置を表示する表示部が設けられている、異径管接続部収容カバー装置。
【請求項３】
前記表示部は、前記基台から突出して、前記異径管継ぎ手の前記小径管側の先端に当接可能な表示突部からなる、請求項２に記載の異径管接続部収容カバー装置。
【請求項４】
相対的に大小の径の管である大径管および小径管に対し、大径管を保持する大径管保持部を有してその大径管を収容する大径管保護カバーが接続される第１の接続口と、小径管を保持する小径管保持部を有してその小径管を収容する小径管保護カバーが接続される第２の接続口とを有して、直線状に前記大径管と前記小径管とを繋ぐ異径管継ぎ手を収容する、異径管継ぎ手収容カバーであって、
基台と、その基台との間に前記異径管継ぎ手が収容される異径管継ぎ手収容スペースが形成される蓋体とを備え、
前記基台には、前記異径管継ぎ手を配置する位置を表示する表示部が設けられ、
前記表示部が表示する前記異径管継ぎ手を配置する位置は、前記異径管継ぎ手と、前記第１の接続口に接続される前記大径管保護カバーとの間隔よりも、前記異径管継ぎ手と、前記第２の接続口に接続される前記小径管保護カバーとの間隔が広くなる位置であり、
前記表示部が表示する位置に配置される前記異径管継ぎ手と、前記第２の接続口に接続される前記小径管保護カバーとの間は、前記小径管が前記小径管保護カバー内へと導かれて前記小径管保持部に保持されるよう、前記小径管が前記被固定面側にたわむようにして下降するための距離を備えた下降スペースとなっている、異径管継ぎ手収容カバー。
【請求項５】
相対的に大小の径の管である大径管および小径管に対し、大径管を保持する大径管保持部を有してその大径管を収容する大径管保護カバーと、小径管を保持する小径管保持部を有してその小径管を収容する小径管保護カバーとが、被固定面に固定され、
前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーが設けられ、
前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にあり、
前記異径管継ぎ手は、前記異径管継ぎ手収容カバー内において、前記異径管継ぎ手と、前記第１の接続口に接続される前記大径管保護カバーとの間隔よりも、前記異径管継ぎ手と、前記第２の接続口に接続される前記小径管保護カバーとの間隔が広くなるように配置され、
前記大径管と前記小径管とは、前記異径管継ぎ手に接続されて、それぞれ前記大径管保護カバーと前記小径管保護カバーとに収容され、前記小径管は、その小径管が前記小径管保護カバー内へと導かれて前記小径管保持部に保持されるよう、前記異径管継ぎ手収容カバー内で、前記異径管継ぎ手から前記小径管保護カバーに向かって前記被固定面側にたわむようにして前記小径管保持部の前記中心軸の位置まで下降している、異径管接続部収容構造。
【発明の詳細な説明】
【技術分野】
【０００１】
この発明は、大径管および小径管を繋げて配管するための異径管接続部収容カバー装置、異径管継ぎ手収容カバー、および異径管接続部収容構造に関するものである。
【背景技術】
【０００２】
従来、大径管と小径管とが、継ぎ手により繋げられた、配管構造があった（例えば、特許文献１参照）。図１１に示すように、この配管構造１１は、大径の管材１２と、小径の管材１３と、それら管材１２、１３を互いに連結する異種管継ぎ手１４とを備え、さらに、大径の管材１２を収容して保護する第１の保護カバー１５と、小径の管材１３を収容して保護する第２の保護カバー１６と、異種管継ぎ手１４を収容して保護する継ぎ手保護カバー１７とを備えていた。そして、径が異なる前記両管材１２、１３が一直線状に配管されることから生ずる、第１の保護カバー１５と第２の保護カバー１６との底面の段差を埋めるために、第２の保護カバー１６側に、スペーサー１８が設けられた。
【先行技術文献】
【特許文献】
【０００３】
【特許文献１】特許第３６０００１１号公報
【発明の概要】
【発明が解決しようとする課題】
【０００４】
ところで、前記従来の配管構造１１にあっては、別途用意したスペーサー１８を用いて、大径の管材１２を収容する第１の保護カバー１５と小径の管材１３を収容する第２の保護カバー１６との底面の段差を埋める必要があり、面倒であった。
【０００５】
この発明は、上記した従来の欠点を解決するためになされたものであり、その目的とするところは、異なる径の管を、スペーサーを用いることなく配管することができる、異径管接続部収容カバー装置、異径管継ぎ手収容カバー、および異径管接続部収容構造を提供することにある。
【課題を解決するための手段】
【０００６】
この発明に係る異径管接続部収容カバー装置、異径管継ぎ手収容カバー、および異径管接続部収容構造は、前記目的を達成するために、次の構成からなる。すなわち、
請求項１に記載の発明に係る異径管接続部収容カバー装置は、相対的に大小の径の管である大径管および小径管に対し、大径管を保持する大径管保持部を有してその大径管を収容する大径管保護カバーと、小径管を保持する小径管保持部を有してその小径管を収容する小径管保護カバーとを備え、かつ、前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーを備える。ここで、被固定面に固定される、前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にある。そこで、前記異径管継ぎ手収容カバーは、前記異径管継ぎ手が収容される異径管継ぎ手収容スペースを有しており、その異径管継ぎ手収容カバー内において、前記異径管継ぎ手収容スペースと、前記第２の接続口に接続される前記小径管保護カバーとの間は、前記小径管が前記小径管保護カバー内へと導かれて前記小径管保持部に保持されるよう、前記小径管が前記被固定面側にたわむようにして前記小径管保持部の前記中心軸の位置まで下降するための距離を備えた下降スペースとなっている。
【０００７】
この異径管接続部収容カバー装置によると、大径管保護カバーおよび小径管保護カバーは、大径管保持部の、大径管を保持する中心軸よりも、小径管保持部の、小径管を保持する中心軸が、被固定面に近づいた位置にある。そして、異径管継ぎ手収容カバーは、異径管継ぎ手収容スペースと小径管保護カバーとの間が、小径管が被固定面側にたわむようにして小径管保持部の中心軸の位置まで下降するための距離を備えた下降スペースとなっている。こうして、異径管継ぎ手収容カバーに、小径管の下降スペースを設けることで、大径管および小径管を、大径管保護カバーおよび小径管保護カバーに無理なく収容させることができるとともに、大径管保護カバーと小径管保護カバーとを被固定面に当接させることができる。
【０００８】
また、請求項２に記載の発明に係る異径管接続部収容カバー装置は、相対的に大小の径の管である大径管および小径管に対し、大径管を保持する大径管保持部を有してその大径管を収容する大径管保護カバーと、小径管を保持する小径管保持部を有してその小径管を収容する小径管保護カバーとを備え、かつ、前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーを備える。ここで、被固定面に固定される、前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にある。そして、前記異径管継ぎ手収容カバーは、前記異径管継ぎ手が収容される異径管継ぎ手収容スペースを有しており、その異径管継ぎ手収容カバー内において、前記異径管継ぎ手収容スペースと、前記第２の接続口に接続される前記小径管保護カバーとの間は、前記小径管が前記小径管保護カバー内へと導かれて前記小径管保持部に保持されるよう、前記小径管が前記被固定面側にたわむようにして下降するための距離を備えた下降スペースとなっている。また、前記異径管継ぎ手収容カバーは、基台と、その基台との間に前記異径管継ぎ手収容スペースと前記下降スペースとが形成される蓋体とを備える。そして、前記異径管継ぎ手収容カバーは、直線状に前記大径管と前記小径管とを繋ぐ、前記異径管継ぎ手としての２方継ぎ手を収容するものである。そこで、前記基台には、前記下降スペースを確保すべく、前記異径管継ぎ手を、前記第１の接続口に接続される前記大径管保護カバーよりも、前記第２の接続口に接続される前記小径管保護カバーから離れるように配置する位置を表示する表示部が設けられている。
【０００９】
この異径管接続部収容カバー装置によると、大径管保護カバーおよび小径管保護カバーは、大径管保持部の、大径管を保持する中心軸よりも、小径管保持部の、小径管を保持する中心軸が、被固定面に近づいた位置にある。そして、異径管継ぎ手収容カバーは、基台に表示部が設けられ、その表示部が表示する異径管継ぎ手を配置する位置は、異径管継ぎ手を、大径管保護カバーよりも小径管保護カバーから離れるように配置する位置であって、その異径管継ぎ手が収容される異径管継ぎ手収容スペースと小径管保護カバーとの間は、小径管が被固定面側にたわむようにして下降するための距離を備えた下降スペースとなっている。こうして、異径管継ぎ手収容カバーに、小径管の下降スペースを設けることで、大径管および小径管を、大径管保護カバーおよび小径管保護カバーに無理なく収容させることができるとともに、大径管保護カバーと小径管保護カバーとを被固定面に当接させることができる。
【００１０】
【００１１】
【００１２】
また、請求項３に記載の発明に係る異径管接続部収容カバー装置は、請求項２に記載の異径管接続部収容カバー装置において、前記表示部は、前記基台から突出して、前記異径管継ぎ手の前記小径管側の先端に当接可能な表示突部からなる。これにより、異径管継ぎ手収容カバーにおいて、表示突部を境にして大径管保護カバー側が、異径管継ぎ手収容スペースとなり、その反対側が、下降スペースとなる。そして、この表示突部により、異径管継ぎ手を、異径管継ぎ手収容スペース内に的確に配置することができる。
【００１３】
また、請求項４に記載の発明に係る異径管継ぎ手収容カバーは、相対的に大小の径の管である大径管および小径管に対し、大径管を保持する大径管保持部を有してその大径管を収容する大径管保護カバーが接続される第１の接続口と、小径管を保持する小径管保持部を有してその小径管を収容する小径管保護カバーが接続される第２の接続口とを有して、直線状に前記大径管と前記小径管とを繋ぐ異径管継ぎ手を収容する、異径管継ぎ手収容カバーである。この異径管継ぎ手収容カバーは、基台と、その基台との間に前記異径管継ぎ手が収容される異径管継ぎ手収容スペースが形成される蓋体とを備える。そして、前記基台には、前記異径管継ぎ手を配置する位置を表示する表示部が設けられる。ここで、前記表示部が表示する前記異径管継ぎ手を配置する位置は、前記異径管継ぎ手と、前記第１の接続口に接続される前記大径管保護カバーとの間隔よりも、前記異径管継ぎ手と、前記第２の接続口に接続される前記小径管保護カバーとの間隔が広くなる位置である。そして、前記表示部が表示する位置に配置される前記異径管継ぎ手と、前記第２の接続口に接続される前記小径管保護カバーとの間は、前記小径管が前記小径管保護カバー内へと導かれて前記小径管保持部に保持されるよう、前記小径管が前記被固定面側にたわむようにして下降するための距離を備えた下降スペースとなっている。
この異径管継ぎ手収容カバーによると、基台に表示部が設けられ、その表示部が表示する異径管継ぎ手を配置する位置は、異径管継ぎ手と大径管保護カバーとの間隔よりも、異径管継ぎ手と小径管保護カバーとの間隔が広くなる位置であって、その異径管継ぎ手と小径管保護カバーとの間は、小径管が被固定面側にたわむようにして下降するための距離を備えた下降スペースとなっている。こうして、異径管継ぎ手収容カバーに、小径管の下降スペースを設けることで、大径管および小径管を、大径管保護カバーおよび小径管保護カバーに無理なく収容させることができるとともに、大径管保護カバーと小径管保護カバーとを被固定面に当接させることができる。
【００１４】
また、請求項５に記載の発明に係る異径管接続部収容構造は、相対的に大小の径の管である大径管および小径管に対し、大径管を保持する大径管保持部を有してその大径管を収容する大径管保護カバーと、小径管を保持する小径管保持部を有してその小径管を収容する小径管保護カバーとが、被固定面に固定されている。そして、前記大径管保護カバーが接続される第１の接続口と、前記小径管保護カバーが接続される第２の接続口とを有して、前記大径管と前記小径管とを繋ぐ異径管継ぎ手を収容する、異径管継ぎ手収容カバーが設けられる。ここで、前記大径管保護カバーおよび前記小径管保護カバーは、前記大径管保持部の、前記大径管を保持する中心軸よりも、前記小径管保持部の、前記小径管を保持する中心軸が、前記被固定面に近づいた位置にある。そこで、前記異径管継ぎ手は、前記異径管継ぎ手収容カバー内において、前記異径管継ぎ手と、前記第１の接続口に接続される前記大径管保護カバーとの間隔よりも、前記異径管継ぎ手と、前記第２の接続口に接続される前記小径管保護カバーとの間隔が広くなるように配置される。そして、前記大径管と前記小径管とは、前記異径管継ぎ手に接続されて、それぞれ前記大径管保護カバーと前記小径管保護カバーとに収容され、前記小径管は、その小径管が前記小径管保護カバー内へと導かれて前記小径管保持部に保持されるよう、前記異径管継ぎ手収容カバー内で、前記異径管継ぎ手から前記小径管保護カバーに向かって前記被固定面側にたわむようにして前記小径管保持部の前記中心軸の位置まで下降している。
この異径管接続部収容構造によると、大径管保護カバーおよび小径管保護カバーは、大径管保持部の、大径管を保持する中心軸よりも、小径管保持部の、小径管を保持する中心軸が、被固定面に近づいた位置にある。そして、異径管継ぎ手は、異径管継ぎ手収容カバー内において、異径管継ぎ手と大径管保護カバーとの間隔よりも、異径管継ぎ手と小径管保護カバーとの間隔が広くなるように配置され、小径管は、異径管継ぎ手収容カバー内で、異径管継ぎ手から小径管保護カバーに向かって被固定面側にたわむようにして小径管保持部の中心軸の位置まで下降している。こうして、小径管が、異径管継ぎ手収容カバー内で、被固定面側にたわむように下降することで、大径管および小径管を、大径管保護カバーおよび小径管保護カバーに無理なく収容させることができるとともに、大径管保護カバーと小径管保護カバーとを被固定面に当接させることができる。
【発明の効果】
【００１５】
請求項１ないし３に記載の発明に係る異径管接続部収容カバー装置、および請求項４に記載の発明に係る異径管継ぎ手収容カバーによれば、異径管継ぎ手収容カバーに、小径管の下降スペースを設けることで、大径管および小径管を、大径管保護カバーおよび小径管保護カバーに無理なく収容させることができるとともに、大径管保護カバーと小径管保護カバーとを被固定面に当接させることができ、これにより、大径管および小径管を、スペーサーを用いることなく配管することができる。
【００１６】
また、請求項５に記載の発明に係る異径管接続部収容構造によれば、小径管が、異径管継ぎ手収容カバー内で、被固定面側にたわむように下降することで、大径管および小径管を、大径管保護カバーおよび小径管保護カバーに無理なく収容させることができるとともに、大径管保護カバーと小径管保護カバーとを被固定面に当接させることができ、これにより、大径管および小径管を、スペーサーを用いることなく配管することができる。
【図面の簡単な説明】
【００１７】
【図１】この発明の一実施の形態の、大径硬質管、小径硬質管および異径硬質管継ぎ手を収容した、異径管接続部収容カバー装置の縦断面図である。
【図２】同じく、蓋体を外した斜視図である。
【図３】同じく、蓋体を外した平面図である。
【図４】同じく、図１における各部の断面図であって、（ａ）は、Ａ−Ａ線による拡大断面図であり、（ｂ）は、Ｂ−Ｂ線による拡大断面図である。
【図５】同じく、大径可撓管、小径可撓管および異径可撓管継ぎ手を収容した、異径管接続部収容カバー装置の、図２相当図である。
【図６】同じく、図３相当図である。
【図７】同じく、異径管継ぎ手収容カバーの基台に、大径管保護カバーの基台と小径管保護カバーの基台を接続した、斜視図である。
【図８】同じく、異径管継ぎ手収容カバーを示す斜視図である。
【図９】同じく、異径管継ぎ手収容カバーの基台を示す斜視図である。
【図１０】同じく、異径管継ぎ手収容カバーの蓋体を示す斜視図である。
【図１１】従来の配管構造を示す縦断面図である。
【発明を実施するための形態】
【００１８】
以下、この発明に係る異径管接続部収容カバー装置、異径管継ぎ手収容カバー、および異径管接続部収容構造を実施するための形態を図面に基づいて説明する。
【００１９】
図１〜図１０は、本発明の一実施の形態を示す。図中符号１は、例えば台所の流し台回りの壁面等、その他の面からなる被固定面を示す。２および３は、相対的に大小の径の管である大径管および小径管を示し、これら大径管２および小径管３は、例えば給水管からなり、前記被固定面１に配管される。４は、前記大径管２と前記小径管３とを繋ぐ異径管継ぎ手を示す。５は、異径管接続部収容カバー装置を示す。
【００２０】
異径管接続部収容カバー装置５は、前記大径管２を保持する大径管保持部６ａを有してその大径管２を収容する直状の大径管保護カバー６と、前記小径管３を保持する小径管保持部７ａを有してその小径管３を収容する直状の小径管保護カバー７と、前記異径管継ぎ手４を収容する異径管継ぎ手収容カバー８とを、備える。そして、この異径管継ぎ手収容カバー８は、前記大径管保護カバー６が接続される第１の接続口８ａと、前記小径管保護カバー７が接続される第２の接続口８ｂとを有する。
【００２１】
ここで、前記被固定面１に固定される、大径管保護カバー６および小径管保護カバー７は、前記大径管保持部６ａの、大径管２を保持する中心軸６ｂよりも、前記小径管保持部７ａの、小径管３を保持する中心軸７ｂが、被固定面１に近づいた位置にある（図１、図４参照）。すなわち、被固定面１に固定される、大径管保護カバー６および小径管保護カバー７は、小径管保護カバー７と被固定面１との間にスペーサーを介在させることにより、大径管保持部６ａの、大径管２を保持する中心軸６ｂと、小径管保持部７ａの、小径管３を保持する中心軸７ｂが、略同一軸心上になるものであり、前記スペーサーを使用しないことで大径管保持部６ａの中心軸６ｂよりも、小径管保持部７ａの中心軸７ｂが被固定面１に近づいた位置にある。
【００２２】
そして、異径管継ぎ手収容カバー８は、異径管継ぎ手４が収容される異径管継ぎ手収容スペース８ｃに続いて、小径管３が小径管保持部７ａに保持されるよう、異径管継ぎ手４から小径管保持部７ａに向かって、小径管３が被固定面１側にたわむようにし下降するための距離を備えた下降スペース８ｄを有する。そして、この下降スペース８ｄの距離は、被固定面１側に小径管３をたわませることで、前記スペーサーを使用しないことで生じたスペーサーの厚み分からなる大径管保持部６ａと小径管保持部７ａとの中心軸６ｂ、７ｂのズレを緩和して、小径管３を小径管保護カバー７内へと導ける長さとなっている。
【００２３】
詳細には、大径管保護カバー６は、前記大径管保持部６ａを有する基台６ｃと、その基台６ｃとの間に大径管２が収容される蓋体６ｄとを備える（図１、図４（ａ）参照）。同様に、小径管保護カバー７は、前記小径管保持部７ａを有する基台７ｃと、その基台７ｃとの間に小径管３が収容さる蓋体７ｄとを備える（図１、図４（ｂ）参照）。そして、異径管継ぎ手収容カバー８は、基台８ｅと、その基台８ｅとの間に前記異径管継ぎ手収容スペース８ｃと前記下降スペース８ｄとが形成される蓋体８ｆとを備える（図１、図８〜図１０参照）。また、この異径管継ぎ手収容カバー８における基台８ｅには、異径管継ぎ手４を配置する位置を表示する表示部８ｇが設けられる。
【００２４】
より詳細には、大径管保護カバー６および小径管保護カバー７は、塩化ビニル樹脂等の硬質管からなる、大径管２としての大径硬質管２０１および小径管３としての小径硬質管３０１と、架橋ポリエチレンあるいはポリブテン製の可撓管からなる、大径管２としての大径可撓管２０２および小径管３としての小径可撓管３０２とを、選択して収容するものである。そして、異径管継ぎ手収容カバー８は、大径硬質管２０１および小径硬質管３０１を繋ぐ、異径管継ぎ手４としての異径硬質管継ぎ手４０１と、大径可撓管２０２および小径可撓管３０２を繋ぐ、異径管継ぎ手４としての異径可撓管継ぎ手４０２とを、選択的に収容するものである。
【００２５】
この異径管継ぎ手収容カバー８においては、前記異径管継ぎ手収容スペース８ｃが、異径硬質管継ぎ手４０１が収容される異径硬質管継ぎ手収容スペース８ｈとなり、前記下降スペース８ｄが、小径硬質管３０１が小径管保持部７ａに保持されるよう、異径硬質管継ぎ手４０１から小径管保持部７ａに向かって、小径硬質管３０１が被固定面１側にたわむようにして下降するための距離を備えた下降スペースとなる。つまり、前記基台８ｅと前記蓋体８ｆとの間に、異径硬質管継ぎ手収容スペース８ｈと下降スペース８ｄとが形成され、前記表示部８ｇは、異径硬質管継ぎ手４０１を配置する位置を表示する。そして、図示実施の形態においては、この表示部８ｇは、基台８ｅから突出して形成された表示突部８ｉからなる。また、図示実施の形態においては、異径管継ぎ手収容スペース８ｃとしての異径硬質管継ぎ手収容スペース８ｈが、大径管保護カバー６側に片寄って位置し、その異径硬質管継ぎ手収容スペース８ｈに続いて、下降スペース８ｄが、小径管保護カバー７側に位置する。
【００２６】
また、異径管継ぎ手収容カバー８は、基台８ｅと蓋体８ｆとの間に、異径可撓管継ぎ手４０２が収容される異径可撓管継ぎ手収容スペース８ｊを有して、その異径可撓管継ぎ手収容スペース８ｊに配置される異径可撓管継ぎ手４０２に、前記表示突部８ｉが係合して、大径可撓管２０２および／または小径可撓管３０２（図示実施の形態においては、大径可撓管２０２および小径可撓管３０２）の熱膨張による異径可撓管継ぎ手４０２の移動が規制される。つまり、この表示突部８ｉは、異径硬質管継ぎ手４０１を配置する位置を表示する表示部である他に、異径可撓管継ぎ手４０２を配置する位置を表示する表示部でもあり、かつ、異径可撓管継ぎ手４０２の移動を規制する規制部でもある。
【００２７】
具体的には、大径管保護カバー６は、図１および図４（ａ）に示すように、被固定面１に固定される前記基台６ｃと、その基台６ｃに嵌着される前記蓋体６ｄとを備え、基台６ｃと蓋体６ｄとは、例えば、合成樹脂の押出成形により製造される。基台６ｃは、底板部６ｅと、その底板部６ｅから上方に延びて、大径管２（大径硬質管２０１、大径可撓管２０２）を両側から抱え込むようにして挟む前記大径管保持部６ａとを有する。そして、底板部６ｅの底面には、中央に、凹溝６ｆが長手方向に連続して設けられ、また、大径管保持部６ａの基端部の外面側には、内側に窪む係合凹部６ｇが長手方向に連続して設けられている。一方、蓋体６ｄは、大径管２を覆うように、断面略コの字形状に形成される。そして、蓋体６ｄの開口両端部の内面側には、それぞれ内側に向かって突出する係合凸部６ｈが、長手方向に連続して設けられており、この係合凸部６ｈと基台６ｃの前記係合凹部６ｇとが互いに係合することで、蓋体６ｄが基台６ｃに嵌着される。さらに、蓋体６ｄの内側面には、シート状の断熱材６ｉが、接着等によって取り付けられる。
【００２８】
同様に、小径管保護カバー７は、図１および図４（ｂ）に示すように、被固定面１に固定される前記基台７ｃと、その基台７ｃに嵌着される前記蓋体７ｄとを備え、基台７ｃと蓋体７ｄとは、例えば、合成樹脂の押出成形により製造される。基台７ｃは、底板部７ｅと、その底板部７ｅから上方に延びて、小径管３（小径硬質管３０１、小径可撓管３０２）を両側から抱え込むようにして挟む前記小径管保持部７ａとを有する。そして、底板部７ｅの底面には、中央に、凹溝７ｆが長手方向に連続して設けられ、また、小径管保持部７ａの基端部の外面側には、内側に窪む係合凹部７ｇが長手方向に連続して設けられている。一方、蓋体７ｄは、小径管３を覆うように、断面略コの字形状に形成される。そして、蓋体７ｄの開口両端部の内面側には、内側に向かって突出する係合凸部７ｈが、長手方向に連続して設けられており、この係合凸部７ｈと基台７ｃの前記係合凹部７ｇとが互いに係合することで、蓋体７ｄが基台７ｃに嵌着される。さらに、蓋体７ｄの内側面には、シート状の断熱材７ｉが、接着等によって取り付けられる。
【００２９】
異径管継ぎ手４は、直線状に大径管２と小径管３とを繋ぐ、２方継ぎ手からなる。異径管継ぎ手４としての異径硬質管継ぎ手４０１は、例えば合成樹脂からなり、筒状に形成されて、その一方側に大径硬質管２０１が接続される第１接続口４ａが設けられ、他方側に小径硬質管３０１が接続される第２接続口４ｂが設けられて、大径硬質管２０１および小径硬質管３０１は、それら第１接続口４ａおよび第２接続口４ｂに、例えば接着により接続される（図１〜図３参照）。また、異径管継ぎ手４としての異径可撓管継ぎ手４０２は、例えば合成樹脂からなり、異径硬質管継ぎ手４０１と同様に、筒状に形成されて、その一方側に大径可撓管２０２が接続される第１接続口４ｃが設けられ、他方側に小径可撓管３０２が接続される第２接続口４ｄが設けられる（図５、図６参照）。そして、第１接続口４ｃには、例えば金属からなる第１リング４ｅが設けられ、第２接続口４ｄには、例えば金属からなる第２リング４ｆが設けられて、大径可撓管２０２および小径可撓管３０２は、それらリング４ｅ、４ｆによって圧接されて、第１接続口４ｃおよび第２接続口４ｄに接続される。また、この異径可撓管継ぎ手４０２は、第１接続口４ｃと第２接続口４ｄとの間に、環状に窪む凹部４ｇを有する。
【００３０】
異径管継ぎ手収容カバー８は、前記２方継ぎ手からなる異径管継ぎ手４を収容するものであって、その異径管継ぎ手４の形状に合わせて、直線状に形成されるとともに、小径管保護カバー７側が、絞られて形成されている（図１、図８参照）。この異径管継ぎ手収容カバー８は、被固定面１に固定される前記基台８ｅと、その基台８ｅに嵌着される前記蓋体８ｆとを備え、これら基台８ｅおよび蓋体８ｆは、例えば合成樹脂からなる。
【００３１】
この異径管継ぎ手収容カバー８における基台８ｅは、図９に示すように、底板部８ｋと、その底板部８ｋの両側から上方に延びる側壁部８ｍとを有する。そして、底板部８ｋは、その長手方向の両端に、その長手方向に突き出る舌片８ｎを有し、一方の舌片８ｎが、大径管保護カバー６における基台６ｃの凹溝６ｆに差し込まれ、他方の舌片８ｎが、小径管保護カバー７における基台７ｃの凹溝７ｆに差し込まれる。側壁部８ｍの外面側には、内側に窪む係合凹部８ｐが設けられている。そして、基台８ｅには、その底板部８ｋから上方に突出するようにして前記表示突部８ｉが設けられる。この表示突部８ｉは、２方継ぎ手からなる異径管継ぎ手４（詳しくは、異径硬質管継ぎ手４０１）の小径管３（詳しくは、小径硬質管３０１）側の先端（つまり、第２接続口４ｂの先端）に当接可能な位置にある。また、この表示突部８ｉは、異径可撓管継ぎ手４０２に対しては、その凹部４ｇに係合し、異径可撓管継ぎ手４０２は、大径可撓管２０２側および小径可撓管３０２側のいずれの側への移動も規制される。
【００３２】
また、基台８ｅには、大径管２（図示実施の形態においては、大径硬質管２０１）の先端位置を示す大径管指示部８ｑと、小径管３（図示実施の形態においては、小径硬質管３０１）の先端位置を示す小径管指示部８ｒとが、表示されている（図３、図９参照）。したがって、これら指示部８ｑ、８ｒに合わせて、長尺の大径硬質管２０１および小径硬質管３０１を切断することができ、異径硬質管継ぎ手４０１を含めた配管作業を手早く行うことができる。また、このように、長尺の大径硬質管２０１や小径硬質管３０１を、大径管指示部８ｑや小径管指示部８ｒに合わせて切断し、その切断された大径硬質管２０１や小径硬質管３０１を異径硬質管継ぎ手４０１に接続すれば、異径管継ぎ手収容カバー８（詳しくは、基台８ｅ）に対する異径硬質管継ぎ手４０１の位置が定まる。すなわち、大径管指示部８ｑや小径管指示部８ｒは、前記表示部８ｇともなる。
【００３３】
一方、蓋体８ｆは、異径管継ぎ手４を覆うように、断面略コの字形状に形成される（図１０参照）。そして、蓋体８ｆの開口両端部の内面側には、内側に向かって突出する係合凸部８ｓが、第１の接続口８ａ側と第２の接続口８ｂ側の箇所にそれぞれ設けられており、この係合凸部８ｓと基台８ｅの前記係合凹部８ｐとが互いに係合することで、蓋体８ｆが基台８ｅに嵌着される。そして、この蓋体８ｆは、長手方向の一方の端部が、大径管保護カバー６の蓋体６ｄに被り、他方の端部が、小径管保護カバー７の蓋体７ｄに被るように配置される。
【００３４】
次に、以上の構成からなる異径管接続部収容カバー装置５の作用効果について説明する。この異径管接続部収容カバー装置５によると、大径管保護カバー６および小径管保護カバー７は、大径管保持部６ａの、大径管２を保持する中心軸６ｂよりも、小径管保持部７ａの、小径管３を保持する中心軸７ｂが、被固定面１に近づいた位置にある。そして、異径管継ぎ手収容カバー８は、異径硬質管継ぎ手４０１を収容することができ、異径硬質管継ぎ手４０１から小径管保持部７ａに向かって、小径硬質管３０１が被固定面１側にたわむようにして下降するための距離を備えた下降スペース８ｄを有する。こうして、異径管継ぎ手収容カバー８に、小径硬質管３０１の下降スペース８ｄを設けることで、大径硬質管２０１および小径硬質管３０１を、大径管保護カバー６および小径管保護カバー７に無理なく収容させることができるとともに、大径管保護カバー６と小径管保護カバー７とを被固定面１に当接させることができる。
【００３５】
すなわち、この異径管接続部収容カバー装置５によれば、異径管継ぎ手収容カバー８に、小径硬質管３０１の下降スペース８ｄを設けることで、大径管保護カバー６と小径管保護カバー７とを被固定面１に当接させることができ、これにより、大径硬質管２０１および小径硬質管３０１を、従来に見られるようなスペーサーを用いることなく配管することができる。なお、小径可撓管３０２に対しては、その小径可撓管３０２が短い距離で十分に湾曲することから、異径管継ぎ手収容カバー８に下降スペースを設ける必要はないが、設けても良いのは勿論である。
【００３６】
ここにおいて、被固定面１は、基準となる面であって、例えば、大径管保護カバー６、異径管継ぎ手収容カバー８、小径管保護カバー７の全てに同一厚さのスペーサーが使われている場合（つまり、全体を嵩上げする場合）は、被固定面１は、各スペーサーの上面からなる一つの平面である。一方、前記した「従来に見られるようなスペーサーを用いることなく配管することができる」におけるスペーサーは、軸心合わせのためのスペーサーであって、全体を嵩上げするためのスペーサーを含んではいない。つまり、全体を嵩上げするためのスペーサーをも用いないということではない。
【００３７】
また、異径管継ぎ手収容カバー８の基台８ｅには、異径硬質管継ぎ手４０１を配置する位置を表示する表示部８ｇ（図示実施の形態においては、表示突部８ｉ）が設けられている。このため、この表示部８ｇ（表示突部８ｉ）を目安に、異径硬質管継ぎ手４０１を配置することができる。
【００３８】
また、異径管継ぎ手収容カバー８において、前記表示突部８ｉを境にして大径管保護カバー６側が、異径硬質管継ぎ手収容スペース８ｈとなり、その反対側が、下降スペース８ｄとなる。そして、この表示突部８ｉにより、異径硬質管継ぎ手４０１を、異径硬質管継ぎ手収容スペース８ｈ内に的確に配置することができる。
【００３９】
また、異径管継ぎ手収容カバー８は、異径硬質管継ぎ手４０１に代えて、異径可撓管継ぎ手４０２を収容することができる。そこで、この異径管継ぎ手収容カバー８に異径可撓管継ぎ手４０２を収容した場合には、その異径可撓管継ぎ手４０２（詳しくは、凹部４ｇ）に、表示突部８ｉが係合することで、大径管保護カバー６に収容される大径可撓管２０２および／または小径管保護カバー７に収容される小径可撓管３０２（図示実施の形態においては、大径可撓管２０２および小径可撓管３０２）の熱膨張による異径可撓管継ぎ手４０２の移動を規制することができる。
異径管接続部収容構造にあっては、大径管２を収容する大径管保護カバー６と、小径管３を収容する小径管保護カバー７とが、被固定面１に固定されている。そして、大径管２と小径管３とを繋ぐ異径管継ぎ手４を収容する、異径管継ぎ手収容カバー８が設けられる。ここで、前述したように、大径管保護カバー６および小径管保護カバー７は、大径管保持部６ａの、大径管２を保持する中心軸６ｂよりも、小径管保持部７ａの、小径管３を保持する中心軸７ｂが、被固定面１に近づいた位置にある。そこで、異径管継ぎ手４は、異径管継ぎ手収容カバー８内において、異径管継ぎ手４と、異径管継ぎ手収容カバー８の第１の接続口８ａに接続される大径管保護カバー６との間隔よりも、異径管継ぎ手４と、異径管継ぎ手収容カバー８の第２の接続口８ｂに接続される小径管保護カバー７との間隔が広くなるように配置される。そして、大径管２と小径管３とは、異径管継ぎ手４に接続されて、それぞれ大径管保護カバー６と小径管保護カバー７とに収容され、小径管３は、その小径管３が小径管保護カバー７内へと導かれて小径管保持部７ａに保持されるよう、異径管継ぎ手収容カバー８内で、異径管継ぎ手４から小径管保護カバー７に向かって被固定面１側にたわむようにして下降（詳しくは、小径管保持部７ａの中心軸７ｂの位置まで下降）している。こうして、小径管３が、異径管継ぎ手収容カバー８内で、被固定面１側にたわむように下降することで、大径管２および小径管３を、大径管保護カバー６および小径管保護カバー７に無理なく収容させることができるとともに、大径管保護カバー６と小径管保護カバー７とを被固定面１に当接させることができる。これにより、大径管２および小径管３を、スペーサーを用いることなく配管することができる。
【００４０】
なお、本発明は、上述した実施の形態に限定されるわけではなく、その他種々の変更が可能である。例えば、大径管２および小径管３は、給水管でなくとも、給湯管であってもよく、また、排水管、ガス管等、その他の管であってもよい。また、特に、小径管３のみ、あるいは、大径管２および小径管３は、硬質管としての水道用硬質塩化ビニル管からなってもよい。また、異径管継ぎ手４は、異径硬質管継ぎ手４０１であったり、異径可撓管継ぎ手４０２であったりしなくとも、大径可撓管２０２と小径硬質管３０１（例えば、硬質塩化ビニル管）とを繋いだり、反対に、大径硬質管２０１と小径可撓管３０２とを繋ぐ、異種異径管継ぎ手であってもよい。
【００４１】
また、異径管継ぎ手収容カバー８には、表示部８ｇとしての表示突部８ｉが、基台８ｅから突出して形成され、この表示突部８ｉが、異径硬質管継ぎ手４０１の小径管３０１側の先端に当接可能となるが、この表示突部８ｉが、異径硬質管継ぎ手４０１における第１接続口４ａから第２接続口４ｂに移る段部に当接可能となってもよい。また、この表示突部８ｉは、異径可撓管継ぎ手４０２に対しては、異径可撓管継ぎ手４０２の中間部分（詳しくは、第１接続部４ｃと第２接続部４ｄの間）の凹部４ｇに係合するが、異径可撓管継ぎ手４０２の大径管２０２側の先端（つまり、第１接続口４ｃの先端）に係合したり、異径可撓管継ぎ手４０２の小径管３０２側の先端（つまり、第２接続口４ｄの先端）に係合するようにしてもよい。そして、表示突部８ｉが、異径可撓管継ぎ手４０２の大径管２０２側の先端に係合する場合には、その係合により、小径可撓管３０２の熱膨張による異径可撓管継ぎ手４０２の移動が規制される。反対に、表示突部８ｉが、異径可撓管継ぎ手４０２の小径管３０２側の先端に係合する場合には、その係合により、大径可撓管２０２の熱膨張による異径可撓管継ぎ手４０２の移動が規制される。
【００４２】
また、表示部８ｇは、前述のように表示突部８ｉからなるが、異径可撓管継ぎ手４０２の移動を制限する必要がなければ、突出することのないマークからなっていてもよい。また、この際、異径管継ぎ手収容カバー８の基台８ｅにおける、大径管保護カバー６（詳しくは、基台６ｃ）に突き合わされる端部（すなわち、舌片８ｎの基端を挟む両方の端部）のライン８ｘ（図９参照）を、表示部８ｇ（マーク）とし、その表示部８ｇに、異径管継ぎ手４としての異径硬質管継ぎ手４０１の大径側端（つまり、第１接続口４ａの先端）や異径管継ぎ手４としての異径可撓管継ぎ手４０２の大径側端（つまり、第１接続口４ｃの先端）を合わせるようにしてもよい。
【００４３】
また、この表示部８ｇを設けることなく、異径管継ぎ手収容カバー８内の片側を、異径管継ぎ手収容スペース８ｃ（図示実施の形態においては、異径硬質管継ぎ手収容スペース８ｈ）とし、その反対側を、下降スペース８ｄとしてもよい。
【００４４】
また、異径管継ぎ手収容カバー８は、基台８ｅと蓋体８ｆとを備えるが、基台８ｅを備えることなく、蓋体８ｆのみからなって、その蓋体８ｆが被取付面１に固定されたり、大径管保護カバー６および小径管保護カバー７に係合するようにして取り付けられてもよい。
【００４５】
また、異径管継ぎ手４は、２方継ぎ手からなるが、３方継ぎ手（チーズ）等のその他の継ぎ手からなっていてもよい。
【符号の説明】
【００４６】
１  被固定面
２  大径管
２０１  大径硬質管
２０２  大径可撓管
３  小径管
３０１  小径硬質管
３０２  小径可撓管
４  異径管継ぎ手
４０１  異径硬質管継ぎ手
４０２  異径可撓管継ぎ手
５  異径管接続部収容カバー装置
６  大径管保護カバー
６ａ  大径管保持部
６ｂ  中心軸
７  小径管保護カバー
７ａ  小径管保持部
７ｂ  中心軸
８  異径管継ぎ手収容カバー
８ａ  第１の接続口
８ｂ  第２の接続口
８ｃ  異径管継ぎ手収容スペース
８ｄ  下降スペース
８ｅ  基台
８ｆ  蓋体
８ｇ  表示部
８ｈ  異径硬質管継ぎ手収容スペース
８ｉ  表示突部
８ｊ  異径可撓管継ぎ手収容スペース
【図１】
0006509654.tif 000002
【図２】
0006509654.tif 000003
【図３】
0006509654.tif 000004
【図４】
0006509654.tif 000005
【図５】
0006509654.tif 000006
【図６】
0006509654.tif 000007
【図７】
0006509654.tif 000008
【図８】
0006509654.tif 000009
【図９】
0006509654.tif 000010
【図１０】
0006509654.tif 000011
【図１１】
0006509654.tif 000012